(57)【要約】      （修正有）【課題】防水の多機能キーを有する防水キーユニット及びそれを備えた電子装置を提供する。【解決手段】電子装置３の多機能キー用通孔が形成された上ケース３１とプリント回路板３２との間に設けられる防水キーユニット４であって、前記プリント回路板と電気的に接続し、かつ下から上へと該多機能キー用通孔３１４を通過突出し外部からバイアス操作を含む複数種類の操作で押圧されることができる押圧部４２１と、前記押圧部の周縁から張出しになりながら変形緩衝部を形成してから、引き続いて延伸し、密封壁４２４をなしていて前記上ケースの前記多機能キー用通孔の周壁と密接するシール部４２２とからなった多機能キーを備えていることを特徴とする防水キーユニット。【選択図】図７
0003108352.tif 000002
【実用新案登録請求の範囲】
【請求項１】
電子装置の多機能キー用通孔が形成された上ケースとプリント回路板との間に設けられる防水キーユニットであって、
前記プリント回路板と電気的に接続され、かつ下から上へと該多機能キー用通孔を通過突出し外部からバイアス操作を含む複数種類の操作で押圧されることができる押圧部と、
前記押圧部の周縁から張出されて変形緩衝部を形成するととともに、引き続いて延伸し、密封壁をなして前記上ケースの前記多機能キー用通孔の周壁と密接するシール部を有する多機能キーを備えていることを特徴とする防水キーユニット。
【請求項２】
前記押圧部は、上下２端部を有し、
前記シール部は、前記押圧部の下端部から張出しになっており、
また、前記密封壁は、前記変形緩衝部に引き続いて上へ延伸してなり、前記押圧部を隙間越しに囲んでいることを特徴とする請求項１に記載の防水キーユニット。
【請求項３】
多機能キー用通孔が形成された上ケースを有する中空なケーシングと、
前記ケーシング内に配置されているプリント回路板と、
上下２端部を有し、その上端部が前記多機能キー用通孔と対応し、下端部が前記プリント回路板と電気的に接続する多機能スイッチと、
前記多機能スイッチの上端部に設けられていて外部からバイアス操作を含む複数種類の操作で押圧されて前記多機能スイッチを作動させることができる多機能キーを有する防水キーユニットとを備えている電気装置において、
前記多機能キーは、
前記多機能スイッチの上端部に連接し、且つ下から上へと該多機能キー用通孔を通過突出する押圧部と、
前記押圧部の周縁から張出されて変形緩衝部を形成するとともに、引き続いて延伸し、前記上ケースの前記多機能キー用通孔の周壁と密接して密封壁をなしているシール部とを有することを特徴とする電子装置。
【請求項４】
前記押圧部は、上下の２端部を有し、
前記シール部は、前記押圧部の下端部から張出しになっており、
前記密封壁は、前記変形緩衝部に引き続いて上へ延伸してなり前記押圧部を隙間越しに囲んでいることを特徴とする請求項３に記載の電子装置。
【請求項５】
前記密封壁は、その前記押圧部から遠ざかっている端縁部で前記上ケースの前記多機能キー用通孔の周壁と密接していることを特徴とする請求項４に記載の電子装置。
【請求項６】
前記上ケースには、複数の単機能キー用通孔が更に形成されており、
前記防水キーユニットは、更に、互いに所定隙間を開けている複数の単機能キーを備え、
該複数の単機能キーは、それぞれ前記プリント回路板と電気的に接続し、且つ、前記複数の単機能キー用通孔に対応して上へ突出していることを特徴とする請求項３ないし５のいずれか一項に記載の電子装置。
【請求項７】
前記押圧部の上端部は、他に連接手段を介して前記多機能スイッチの上端部と連接していることを特徴とする請求項３ないし６のいずれか一項に記載の電子装置。
【請求項８】
前記多機能スイッチとしては、マイクロスティックスイッチが使用されており、
前記多機能キーとしては、前後左右及び中央の５操作箇所を有する多方向キーが使用されていることを特徴とする請求項３ないし７のいずれか一項に記載の電子装置。
【考案の詳細な説明】
【技術分野】
【０００１】
本考案は、防水キーユニット及びそれを備えた電子装置に関する。
【背景技術】
【０００２】
従来の携帯用情報端末（ＰＤＡ）などの電子装置１１は、図１に示されているように、上ケース１１１を有する中空なケーシングを備えている。上ケース１１１の一側には、複数のキー用通孔１１１１が開けてある。
【０００３】
このケーシング内には、プリント回路板（図示せず）が設けられている。前記プリント回路板と上ケース１１１との間には、ゴム材料で製作された複数のキー１２が設けられている。当該複数のキー１２は、それぞれ前記プリント回路板と電気的に接続し、かつその外周縁が対応のキー用通孔１１１１の内周壁と密接するように複数のキー用通孔１１１１の一つに対応して下から上へと突出している。
【０００４】
このような電子装置１１は、複数のキー１２が対応のキー用通孔１１１１の内周壁と密接するように設けられているので、防水の機能を有するが、複数のキー１２が全て単機能のキーであって、例えば図示のように上、下、左、右の４方向の機能が四つの独立のキーからなっているので、構成が複雑で、コストが高いという欠点がある。これに鑑みて、図２及び図３のような多機能キー付き電子装置２１が開示されている。
【０００５】
図２及び図３に示されている電子装置２１は、上記と同様に、上ケース２１１を有する中空なケーシングを備えている。上ケース２１１の一側には、多機能キー用通孔２１１１が開けてある。前記ケーシング内には、プリント回路板２１２が設けられている。
【０００６】
そして、プリント回路板２１２と上ケース２１１との間には、図３に示されているように、上下２端部を有し、その上端部が多機能キー用通孔２１１１と対応し、下端部がプリント回路板２１２と電気的に接続しているマイクロスティックスイッチ２１３が設けられている。マイクロスティックスイッチ２１３の上端部には、下から上へと該多機能キー用通孔２１１１を通過突出しているゴム材料で製作された多機能キー２２が設けられている。
【０００７】
マイクロスティックスイッチ２１３は多機能スイッチであるので、外部から多機能キー２２の上面の異なる箇所を押圧してマイクロスティックスイッチ２１３を作動させる時、プリント回路板２１２の異なる機能を作動させることができる。たとえば、多機能キー２２が前後左右及び中央の５操作箇所を有するものである場合、前後左右の４操作箇所へバイアスして押圧すると、それぞれ上、下、左、右の４方向の機能を作動させ、中央箇所を押圧すると、実行（Ａｃｔｉｏｎ）の機能を作動させることができる。
【０００８】
すなわち、多機能キー２２がバイアス操作を含む複数種類の操作で押圧されることにより、多機能スイッチ２１３を作動させることができるものである。多機能スイッチ２１３は、周知の技術であるので、詳しい説明を省略する。
【考案の開示】
【考案が解決しようとする課題】
【０００９】
このような電子装置２１は、多機能スイッチ２１３と多機能キー２２とを備えているので、構成が簡素になり、コストが安くなる利点があるが、前述したようなバイアス操作を行うことができるように、多機能キー２２と多機能キー用通孔２１１１の孔縁との間に図３のように変形緩衝区域として隙間ｄを設ける必要があるので、防水の機能が劣り、水分が隙間ｄを経由して前記ケーシング内に入ってプリント回路板２１２に悪影響をもたらすという欠点がある。
【００１０】
本考案は、このような事情に鑑み、上記欠点を解消することができる防水キーユニット及びそれを備えた電子装置を提供することを目的とする。
【課題を解決するための手段】
【００１１】
この目的を達成するために、本考案は、まず、
電子装置の多機能キー用通孔が形成された上ケースとプリント回路板との間に設けられる防水キーユニットであって、前記プリント回路板と電気的に接続され、かつ下から上へと該多機能キー用通孔を通過突出し外部からバイアス操作を含む複数種類の操作で押圧されることができる押圧部と、前記押圧部の周縁から張出されて変形緩衝部を形成するととともに、引き続いて延伸し、密封壁をなして前記上ケースの前記多機能キー用通孔の周壁と密接するシール部を有する多機能キーを備えていることを特徴とする防水キーユニットを提供する。
【００１２】
この防水キーユニットは、バイアス操作を含む複数種類の操作で押圧されることができる多機能キーを備えているので、電子装置に用いられる時、従来の複数の単機能キーを使用するものに比べて構成が簡素で、コストが遥かに安い。また、当該多機能キーは前記上ケースの前記多機能キー用通孔の周壁と密接するシール部が形成されているのみならず、当該シール部とバイアス操作を受ける前記押圧部との間にまた変形緩衝部が形成されていて前記押圧部から伝わるストレスを吸収し、ストレスの当該シール部を変形させてそのシール性を破壊することを避けることができるので、従来の多機能キー付きものに比べて防水の機能を有し、水分がプリント回路板に侵入して悪影響をもたらすことを避けることができる。
【００１３】
そして、前記防水キーユニットに基づき、考案者は、電子装置を更に提供する。この電子装置は、多機能キー用通孔が形成された上ケースを有する中空なケーシングと、前記ケーシング内に配置されているプリント回路板と、上下２端部を有し、その上端部が前記多機能キー用通孔と対応し、下端部が前記プリント回路板と電気的に接続する多機能スイッチと、前記多機能スイッチの上端部に設けられていて外部からバイアス操作を含む複数種類の操作で押圧されて前記多機能スイッチを作動させることができる多機能キーを有する防水キーユニットとを備えている電気装置において、前記多機能キーは、前記多機能スイッチの上端部に連接し、且つ下から上へと該多機能キー用通孔を通過突出する押圧部と、前記押圧部の周縁から張出されて変形緩衝部を形成するとともに、引き続いて延伸し、前記上ケースの前記多機能キー用通孔の周壁と密接して密封壁をなしているシール部とを有することを特徴とする。
【００１４】
この構成による電子装置は、最初の形態と同様に、構成が簡素である上、その多機能キーがバイアス操作を受けていても常に上ケースの多機能キー用通孔の周壁と密接しているので、防水の機能を有する。
【考案の効果】
【００１５】
本考案の防水キーユニット及びそれを備えた電子装置は、防水の多機能キーを有するので、構成が簡素で、水分がプリント回路板に侵入することを避けることができる。
【考案を実施するための最良の形態】
【００１６】
以下、本考案にかかる防水キーユニット及びそれを備えた電子装置の好ましい実施形態を詳細に説明する。
【００１７】
図４は本考案の防水キーユニット及びそれを備えた電子装置の好ましい実施形態を示す分解正面斜視図であり、図５は本考案の防水キーユニット及びそれを備えた電子装置の好ましい実施形態を示す分解背面斜視図であり、図６は本考案の防水キーユニット及びそれを備えた電子装置の好ましい実施形態の組立後の上面図であり、図７は図６の７−７線の断面図である。
【００１８】
本考案の電子装置３は、図４〜図７に示されているように、主として上ケース３１を有する中空ケーシングと、このケーシング内に配置されているプリント回路板３２と、上ケース３１とプリント回路板３２との間に挟まれている防水キーユニット４とを備えている。
【００１９】
より詳しく説明すると、上ケース３１は上下両面３１１，３１２を有している。上ケース３１の一側には、上下両面３１１，３１２を貫通している複数のキー用通孔が形成されている。本実施形態において該複数のキー用通孔は、上ケース３１の前記一側の中央箇所に位置している多機能キー用通孔３１４と、該多機能キー用通孔３１４の周りに位置している複数の単機能キー用通孔３１５とからなっている。また、上ケース３１の下面３１１には、前記複数のキー用通孔を囲んでいる係合溝３１３が形成されている。
【００２０】
そして、プリント回路板３２は、上下２面３２１，３２２を有している。プリント回路板３２の上面３２１には、プリント回路板３２と電気的に接続された複数のスイッチが配置されている。本実施形態においてこの複数のスイッチは、上下２端部を有しその上端部が前記多機能キー用通孔３１４と対応し、下端部がプリント回路板３２と電気的に接続している多機能スイッチ３３と、それぞれ複数の単機能キー用通孔３１５の一つと対応している複数の単機能スイッチ３４とからなっている。
【００２１】
本実施形態において前記多機能スイッチ３３としては、マイクロスティックスイッチが使用されている。
【００２２】
そして、防水キーユニット４はゴム製の弾性体であり、その周縁に上ケース３１の下面３１１の係合溝３１３と係止している係合部４４が形成されている。
【００２３】
さらに詳しく説明すると、前記防水キーユニット４は、多機能キー４２と複数の単機能キー４３とを備えている。多機能キー４２は、多機能スイッチ３３の上端部に設けられていて外部からバイアス操作を含む複数種類の操作で押圧されて多機能スイッチ３３を作動させることができる。複数の単機能キー４３は、それぞれ前記複数の単機能スイッチ３４のそれと対応する一つを介してプリント回路板３２と電気的に接続され、且つ、複数の単機能キー用通孔３１５に対応して上へ突出している。
【００２４】
本実施形態において多機能キー４２としては、前後左右及び中央の５操作箇所を有する多方向キーが使用されている。この多機能キー４２は、押圧部４２１とシール部４２２を有している。押圧部４２１は、上下２端部を有し、その上端部が他に連接手段５を介して多機能スイッチ３３の上端部に連接し、且つ下から上へと該多機能キー用通孔３１４を通過突出している。シール部４２２は、押圧部４２１の下端部の周縁から張出しになりながら変形緩衝部４２３を形成してから、引き続いて上へ延伸し、押圧部４２１と隙間を挟んでいて上ケース３１の多機能キー用通孔３１４の周壁と密接する前記隙間より厚い密封壁４２４をなしている。
【００２５】
言い換えれば、密封壁４２４は、変形緩衝部４２３に引き続いて上へ延伸し押圧部４２１を隙間越しに囲んでいる。また、密封壁４２４は、その押圧部４２１から遠ざかっている端縁部で前記上ケース３１の多機能キー用通孔３１４の周壁と密接している。
【００２６】
この実施形態例において、変形緩衝部４２３は、上記のように、押圧部４２１と密封壁４２４との間の薄くなった過渡帯からなっているので、可撓性が良好で、押圧部４２１から伝わるストレスを吸収することができる。なお、変形緩衝部はこのような例に限る必要はなく、例えば上記のように薄い部分を有することなく、ただ柔軟性の材質からなっていても良い。
【００２７】
その上、上ケース３１と防水キーユニット４とプリント回路板３２との三者の取付けは、防水キーユニット４の係合部４４を上ケース３１の下面の係合溝３１３と係合した後、複数のねじ６でプリント回路板３２を、防水キーユニット４を押圧するように上ケース３１の下面３１２に螺合により完成することができるので、プリント回路板３２の防水キーユニット４への押圧により防水キーユニット４が上ケース３１の下面３１１と密接し、水分のプリント回路板３２への侵入を防止することができる。
【産業上の利用可能性】
【００２８】
上述したように、本考案の防水キーユニット及び本考案の電子装置における防水キーユニットは、バイアス操作を含む複数種類の操作で押圧されることができる多機能キーを備えているので、その電子装置への使用は従来の複数の単機能キーに比べて構成が簡素で、コストが安い。その他、当該多機能キーには前記上ケースの前記多機能キー用通孔の周壁と常に密接することができるシール部が形成されているので、従来の多機能キーを有するものに比べて防水性能が高く、水分がプリント回路板に侵入して悪影響をもたらすことを避けることができる。
【００２９】
以上説明した実施の形態は、あくまでも本考案の技術的内容を明らかにする意図のものにおいてなされたものであり、本考案はそうした具体例に限定して狭義に解釈されるものではなく、本考案の精神と請求項に述べられた範囲で種々に変更して実施できるものである。
【図面の簡単な説明】
【００３０】
【図１】従来の携帯用情報端末（ＰＤＡ）などの電子装置を示す斜視図
【図２】従来の他の携帯用情報端末（ＰＤＡ）などの電子装置を示す斜視図
【図３】図２の一部拡大断面図
【図４】本考案の防水キーユニット及びそれを備えた電子装置の好ましい実施形態を示す分解正面斜視図
【図５】本考案の防水キーユニット及びそれを備えた電子装置の好ましい実施形態を示す分解背面斜視図
【図６】本考案の防水キーユニット及びそれを備えた電子装置の好ましい実施形態の組立後の上面図
【図７】図６の７−７線の断面図
【符号の説明】
【００３１】
３       電子装置
３１     上ケース
３１１   上面
３１２   下面
３１３   係合溝
３１４   多機能キー用通孔
３１５   単機能キー用通孔
３２     プリント回路板
３２１   上面
３２２   下面
３３     多機能スイッチ
３４     単機能スイッチ
４       防水キーユニット
４２     多機能キー
４２１   押圧部
４２２   シール部
４２３   変形緩衝部
４２４   密封壁
４３     単機能キー
４４     係合部
５       連接手段
６       ねじ
【図１】
0003108352.tif 000003
【図２】
0003108352.tif 000004
【図３】
0003108352.tif 000005
【図４】
0003108352.tif 000006
【図５】
0003108352.tif 000007
【図６】
0003108352.tif 000008
【図７】
0003108352.tif 000009